(57)【特許請求の範囲】
【請求項１】
液が充填される処理タンクと、この処理タンク内の液を補充する補充手段と、液が補充されることにより前記処理タンク内から排出される廃液を貯留する廃液タンクと、前記補充手段に駆動電源を供給する電源ラインと、前記廃液タンク内の液レベルが規定値に達したときに前記電源ラインを遮断する遮断手段と、前記補充手段による液の補充途中で電源ラインが遮断されたときに液の補充残量を算出する補充残量算出手段及び前記補充残量算出手段により算出された補充残量を記憶する記憶手段を有し、前記電源ラインの遮断が解除されたときに前記記憶手段から補充残量を読み出し、その補充残量を前記処理タンク内に補充するように前記補充手段を駆動する制御手段とを備えたことを特徴とする写真感光材料の自動現像処理装置。
【請求項２】
前記遮断手段は、前記廃液タンク内の液レベルを検知する検知手段と、前記電源ラインに直列接続され、前記液レベルが規定値に達したときに前記検知手段から出力される検知信号により閉状態から開状態に切り替えられるスイッチング手段とからなることを特徴とする請求項１記載の写真感光材料の自動現像処理装置。
【請求項３】
前記遮断手段は、前記電源ラインに直列接続され、前記廃液タンク内の液レベルが規定値に達したときに自身で閉状態から開状態に切り替わるスイッチング手段からなることを特徴とする請求項１記載の写真感光材料の自動現像処理装置。
【請求項４】
請求項１乃至３のいずれかに記載の写真感光材料の自動現像処理装置において、前記廃液タンク内の液レベルが規定値に達したときに液レベルに関連する情報を報知する報知手段をさらに備えたことを特徴とする写真感光材料の自動現像処理装置。
【発明の詳細な説明】
【０００１】
【発明の属する技術分野】
本発明は、写真フィルムや印画紙等の写真感光材料を処理タンク内に充填された処理液中を通過させることにより現像処理する写真感光材料の自動現像処理装置に関する。
【０００２】
【従来の技術】
従来、この種の写真感光材料の自動現像処理装置は、複数種類の処理液がそれぞれ個別に充填される複数の処理タンクと、これらの処理タンク内の処理液や処理液の濃度を調節する水を補充する補充手段と、これらの補充手段により処理液や水が補充されることにより処理タンク内から排出される廃液を貯留する廃液タンクとを備えている。この写真感光材料の自動現像処理装置では、廃液タンク内の貯留量が増加して液レベルが規定値に達するとブザー等の報知手段が作動してオペレータに報知するようになっている。オペレータは、報知手段からの報知により自動現像処理装置に対して動作停止を指示し、廃液タンク内から廃液が溢れ出ないようにする一方、廃液タンク内の廃液を外部に排出した後に再起動を指示して現像処理が再開されるようにする
【０００３】
【発明が解決しようとする課題】
ところが、上記従来の写真感光材料の自動現像処理装置では、報知手段が作動したとしても必ずしも自動現像処理装置の動作停止が指示されるとは限らず、この場合には廃液タンク内から廃液が溢れ出てしまう虞がある。そのため、制御系のＣＰＵ（中央演算処理装置）により、廃液タンク内の液レベルが規定値に達した後は補充手段が作動しないようにすることも考えられるが、この場合には外部ノイズや瞬時停電等の影響で制御系が暴走して補充手段が駆動されたままとなる虞があり、こうした場合は廃液タンク内から廃液が溢れ出てしまうことになる。
【０００４】
従って、本発明は、処理タンク内から排出された廃液が廃液タンク内から溢れ出るのを確実に防止することができる写真感光材料の自動現像処理装置を提供することを目的とする。
【０００５】
【課題を解決するための手段】
上記の目的を達成するため、請求項１に係る写真感光材料の自動現像処理装置は、液が充填される処理タンクと、この処理タンク内の液を補充する補充手段と、液が補充されることにより前記処理タンク内から排出される廃液を貯留する廃液タンクと、前記補充手段に駆動電源を供給する電源ラインと、前記廃液タンク内の液レベルが規定値に達したときに前記電源ラインを遮断する遮断手段と、前記補充手段による液の補充途中で電源ラインが遮断されたときに液の補充残量を算出する補充残量算出手段及び前記補充残量算出手段により算出された補充残量を記憶する記憶手段を有し、前記電源ラインの遮断が解除されたときに前記記憶手段から補充残量を読み出し、その補充残量を前記処理タンク内に補充するように前記補充手段を駆動する制御手段とを備えたことを特徴としている。
【０００６】
この構成によれば、補充手段が駆動されて処理液や水等の液が処理タンク内に補充され、それにより処理タンク内から排出された廃液が廃液タンク内に貯留される。そして、この廃液タンク内の液レベルが規定値に達すると、遮断手段が作動して補充手段に駆動電源を供給するための電源ラインが遮断され、補充手段の駆動が停止される。また、処理液や水等の液の補充途中で電源ラインが遮断されて補充手段の駆動が停止されたとき、その時点での液の補充残量が算出され、その算出された補充残量が記憶される。そして、電源ラインの遮断が解除されて補充手段が再起動したとき、記憶されている液の補充残量が処理タンク内に補充されて正常な現像処理が可能な状態にされる。
【０００７】
また、請求項２に係る写真感光材料の自動現像処理装置は、請求項１に係るものにおいて、前記遮断手段が、前記廃液タンク内の液レベルを検知する検知手段と、前記電源ラインに直列接続され、前記液レベルが規定値に達したときに前記検知手段から出力される検知信号により閉状態から開状態に切り替えられるスイッチング手段とからなることを特徴としている。
【０００８】
この構成によれば、廃液タンク内の液レベルが規定値に達すると、検知手段から出力された検知信号により電源ラインに直列接続されたスイッチグ手段が開状態となり、補充手段に駆動電源を供給する電源ラインが遮断される。
【０００９】
また、請求項３に係る写真感光材料の自動現像処理装置は、請求項１に係るものにおいて、前記遮断手段が、前記電源ラインに直列接続され、前記廃液タンク内の液レベルが規定値に達したときに自身で閉状態から開状態に切り替わるスイッチング手段からなることを特徴としている。
【００１０】
この構成によれば、廃液タンク内の液レベルが規定値に達すると、電源ラインに直列接続されたスイッチグ手段が自身で開状態となり、補充手段に駆動電源を供給する電源ラインが遮断される。
【００１１】
また、請求項４に係る写真感光材料の自動現像処理装置は、請求項１乃至３のいずれかに係るものにおいて、前記廃液タンク内の液レベルが規定値に達したときに液レベルに関連する情報を報知する報知手段をさらに備えたことを特徴としている。
【００１２】
この構成によれば、廃液タンク内の液レベルが規定値に達したときにモニタやブザー等の報知手段が作動し、液レベルが規定値に達した旨等の液レベルに関連する情報がオペレータに報知される。
【００１３】
【発明の実施の形態】
図１は、本発明の実施形態に係る写真感光材料の自動現像処理装置の概略構成を示す図である。この図において、写真感光材料の自動現像処理装置１０は、上部に位置する露光部２０と、下部に位置する現像処理部３０と、前部に位置する乾燥処理部４０とを備えている。
【００１４】
露光部２０は、長尺状の印画紙である写真感光材料ＰがローラＲに巻回されて収納されているマガジン２１と、マガジン２１から引き出された写真感光材料Ｐを下流側に搬送する搬送ローラ対２２と、写真感光材料Ｐを所定長さにカットするカッタ２３と、写真感光材料Ｐを吸着保持する吸着ユニット２４と、吸着ユニット２４に吸着保持されている写真感光材料Ｐ上にフィルム画像を露光して焼き付けるフィルム画像投影部２５と、露光された写真感光材料Ｐを下流側の現像処理部３０に搬送する搬送ローラ対２６とを備えている。
【００１５】
現像処理部３０は、現像液の充填される現像処理タンク３１と、漂白定着液の充填される漂白定着処理タンク３２と、安定液の充填される第１の安定処理タンク３３、第２の安定処理タンク３４、第３の安定処理タンク３５及び第４の安定処理タンク３６とがそれぞれ連設されている。また、各処理タンク３１，３２，３３，３４，３５，３６内には、複数の搬送ローラ３７１からなる搬送ローラユニット３７が配設されており、露光された写真感光材料Ｐがこの搬送ローラユニット３７により現像液、漂白定着液、及び安定液中を順に通過して上流側から下流側に搬送されるようになっている。この現像処理部３０の詳細な構成については後述する。
【００１６】
乾燥処理部４０は、乾燥室４１内に配設された図略のヒータと、このヒータの熱を乾燥室４１内に送り込む図略のファン等を備えている。この乾燥処理部４０を通過した写真感光材料Ｐは、搬送ローラ対４２，４３により外部に排出されるようになっている。
【００１７】
図２は、現像処理部３０の要部を示す平面図、図３は、図２のＡ−Ａ線における縦断面図である。これらの図において、各処理タンク３１，３２，３３，３４，３５，３６は上面開口状に形成され、各処理タンク３１，３２，３３，３４，３５，３６の一方側には、現像液の充填される現像処理サブタンク３１´、漂白定着液の充填される漂白定着処理サブタンク３２´、安定液の充填される第１の安定処理サブタンク３３´、第２の安定処理サブタンク３４´、第３の安定処理サブタンク３５´及び第４の安定処理サブタンク３６´が並設されている。
【００１８】
これら各処理サブタンク３１´，３２´，３３´，３４´，３５´，３６´は、各処理タンク３１，３２，３３，３４，３５，３６の一部を構成するものであり、各処理タンク３１，３２，３３，３４，３５，３６と同様に上面開口状に形成されている。また、第１，第２，第３、第４の各安定処理サブタンク３３´，３４´，３５´，３６´は、隣接する安定処理サブタンク間の上端縁に液通路３３１，３４１，３５１が形成され、各液通路３３１，３４１，３５１を介して処理液が流通可能になっている。
【００１９】
また、現像処理タンク３１と現像処理サブタンク３１´とは底部に配設された液供給パイプ３１１により連結されており、現像処理サブタンク３１´内の処理液が循環ポンプ３１２により現像処理タンク３１内に供給されることにより処理液が現像処理タンク３１と現像処理サブタンク３１´間を循環するようになっている。他の処理タンク３２，３３，３４，３５，３６と他の処理サブタンク３２´，３３´，３４´，３５´，３６´も同様の構成となっている。
【００２０】
また、現像処理サブタンク３１´、漂白定着処理サブタンク３２´及び第４の安定処理サブタンク３６´には、各処理液のレベルを検知する液位センサ５１，５２及び５３が配設されると共に、各処理液を補充する補充手段５４，５５及び５６を備えている。補充手段５４は、補充タンク５４１に充填されている処理液が第１のポンプ５４２により供給パイプ５４３を介して供給されるようになっている。補充手段５５は、補充タンク５５１に充填されている処理液が第２のポンプ５５２により供給パイプ５５３を介して供給されるようになっている。また、補充手段５６は、補充タンク５６１に充填されている処理液が第３のポンプ５６２により供給パイプ５６３を介して供給されるようになっている。なお、液位センサ５１，５２，５３は、例えば、内部にスイッチ接点が配設された筒体に、磁石の取り付けられたフロートが嵌合されてなるもので、液レベルに応じてフロートが上下動することにより筒体内のスイッチ接点が磁気的に開閉されるようにしたものである。
【００２１】
さらに、装置の長時間の使用等により各処理液中の水分が蒸発して液濃度が濃くなるため、現像処理サブタンク３１´、漂白定着処理サブタンク３２´及び第４の安定処理サブタンク３６´には、各処理液の濃度を一定に維持するために水を補充する補充手段５７，５８及び５９を備えている。補充手段５７は、補水タンク５７１に充填されている水が第４のポンプ５７２により供給パイプ５７３を介して供給されるようになっている。補充手段５８は、補水タンク５８１に充填されている水が第５のポンプ５８２により供給パイプ５８３を介して供給されるようになっている。また、補充手段５９は、補水タンク５９１に充填されている水が第６のポンプ５９２により供給パイプ５９３を介して供給されるようになっている。
【００２２】
また、現像処理タンク３１、漂白定着処理タンク３２及び第１の安定処理タンク３３に隣接して廃液タンク６１が配設されており、補充手段５４，５５，５６により処理液が補充されることによりオーバーフローする廃液が排液パイプ６２，６３，６４を介して廃液タンク６１に排出され、各廃液が廃液タンク６１内に貯留されるようになっている。この廃液タンク６１には、その底部に排液ポンプ６５を介して排液パイプ６６が配設されており、排液ポンプ６５が駆動されることにより廃液が外部に排出されるようになっている。また、廃液タンク６１内には、廃液のレベルを検知する液位センサ６７が配設されている。この液位センサ６７は、例えば、上記液位センサ５１，５２，５３と同様の構成になるものである。
【００２３】
図４は、現像処理部３０の制御系の概略構成を示す図である。この図において、制御部７０は、所定の演算処理を行うＣＰＵ７１と、所定の処理プログラムの記憶されているＲＯＭ７２と、データが一時的に記憶されるＲＡＭ７３とから構成されている。なお、ＣＰＵ７１は、補充手段５４，５５，５６による処理液の補充途中で補充動作が停止されたときに予め設定された補充量からすでに補充の終了した処理液量を差し引いて補充残量（補充不足分）を算出する補充残量算出手段７１１と、補充残量の有無を確認する補充残量確認手段７１２の各機能を有している。この補充残量算出手段７１１は、補充手段５７，５８，５９による水の補充途中で補充動作が停止されたときにも、予め設定された補充量からすでに補充の終了した水量を差し引いて補充残量（補充不足分）を算出する。また、補充残量確認手段７１２は、水の補充残量についてもその有無を確認するようになっている。
【００２４】
この制御部７０には、装置を起動させるスタートスイッチＳＷ、現像処理サブタンク３１´内の液位センサ５１、漂白定着処理サブタンク３２´内の液位センサ５２、第４の安定処理サブタンク３６´内の液位センサ５３、及び廃液タンク６１内の液位センサ６７が接続されて所定の検出信号が入力される一方、補充手段５４の第１のポンプ５４２を駆動する駆動回路５４２ａ、補充手段５５の第２のポンプ５５２を駆動する駆動回路５５２ａ、補充手段５６の第３のポンプ５６２を駆動する駆動回路５６２ａ、補充手段５７の第４のポンプ５７２を駆動する駆動回路５７２ａ、補充手段５８の第５のポンプ５８２を駆動する駆動回路５８２ａ、補充手段５９の第６のポンプ５９２を駆動する駆動回路５９２ａ、及び廃液タンク６１内の液レベルに関連する情報を報知するモニタ８１がそれぞれ接続されて各動作が制御されるようになっている。
【００２５】
また、各駆動回路５４２ａ，５５２ａ，５６２ａ，５７２ａ，５８２ａ，５９２ａには、各ポンプ５４２，５５２，５６２，５７２，５８２，５９２を駆動する駆動電源ＰＳを供給するための電源ラインＰＬが接続されている。この電源ラインＰＬには、遮断手段７４が接続されている。この遮断手段７４は、電源ラインＰＬに直列接続されたリレー接点７４１と、このリレー接点７４１を開閉制御するリレー駆動回路７４２とから構成されている。このリレー駆動回路７４２は、廃液タンク６１内の液位センサ６７からの検知信号により制御されるようになっている。
【００２６】
すなわち、廃液タンク６１内の液レベルが予め定めた規定値に達したときの液位センサ６７からの検知信号により、リレー駆動回路７４２が作動してリレー接点７４１が開放され、電源ラインＰＬが遮断されて駆動電源ＰＳが各駆動回路５４２ａ，５５２ａ，５６２ａ，５７２ａ，５８２ａ，５９２ａに供給されないようになっている。これにより、制御部７０から駆動を指令する信号が出力されても、各ポンプ５４２，５５２，５６２，５７２，５８２，５９２が駆動されないようになっている。
【００２７】
上記のように構成された本発明に係る写真感光材料の自動現像処理装置１０は、次のように動作する。すなわち、スタートスイッチＳＷがＯＮされると、露光部２０で写真感光材料Ｐに対してフィルム画像が順に露光され、現像処理部３０で現像処理が行われる。そして、写真感光材料Ｐの処理量が増えるに従って各処理液が劣化することになるので、写真感光材料Ｐの現像処理が規定量に達すると、各補充手段５４，５５，５６から一定量の処理液が処理サブタンク３１´，３２´，３６´内に補充される。処理液が補充されると、オーバーフローした処理液（廃液）が処理タンク３１，３２，３３から廃液タンク６１内に排出される。
【００２８】
なお、写真感光材料Ｐは、その長さや面積等で現像処理が規定量に達したか否かが管理されるようになっている。また、写真感光材料Ｐは、装置の稼動時間（写真感光材料Ｐの搬送時間）等で規定量に達したか否かを管理することも可能である。また、スタートスイッチＳＷがＯＮされたとき、処理液タンク３１，３２，３６に一定量の処理液が充填されていない場合は液位センサ５１，５２，５３からの検知信号によりモニタ８１にその旨の表示がなされる一方、補充手段５７，５８，５９から処理サブタンク３１´，３２´，３６´に水が補充されるようになっている。
【００２９】
上記のように、写真感光材料Ｐの現像処理が規定量に達して各補充手段５４，５５，５６から処理液が補充される結果、廃液タンク６１内に貯留された廃液が規定値に達して液位センサ６７から検知信号が出力されると、廃液量が規定値に達した旨等の液レベルに関連する情報がモニタ８１に表示されてオペレータに報知される。そして、同時にリレー駆動回路７４２が作動してリレー接点７４１が開放されることにより電源ラインＰＬが遮断され、各駆動回路５４２ａ，５５２ａ，５６２ａ，５７２ａ，５８２ａ，５９２ａへの駆動電源ＰＳの供給が停止される。これにより、制御部７０から処理液の補充指令が出されても、各ポンプ５４２，５５２，５６２が作動しないので、処理タンク３１，３２，３３から廃液タンク６１内に廃液が排出されないようになる。この結果、廃液タンク６１内の廃液が溢れ出る虞がなくなる。
【００３０】
オペレータが廃液タンク６１の排液ポンプ６５を作動させて廃液を外部に排出すると、液位センサ６７から出力される検知信号によってリレー駆動回路７４２が作動されてリレー接点７４１が閉じ、電源ラインＰＬの遮断が解除されて各駆動回路５４２ａ，５５２ａ，５６２ａ，５７２ａ，５８２ａ，５９２ａへの駆動電源ＰＳの供給が再開される。これにより、制御部７０から処理液の補充指令が出されたときに各ポンプ５４２，５５２，５６２の作動が可能な状態になる。
【００３１】
なお、補充手段５４，５５，５６による処理液の補充途中で廃液タンク６１内の液レベルが規定値に達したことにより補充動作が停止されたとき、補充残量算出手段７１１により予め設定された補充量からすでに補充の終了した処理液量を差し引いて補充残量が算出され、この算出された補充残量がＲＡＭ７３に記憶されるようになっている。従って、電源ラインＰＬの遮断が解除されて駆動電源ＰＳの供給が再開されると、ＲＡＭ７３からデータを読み出してきて補充残量の有無が補充残量確認手段７１２により確認され、補充残量が存在するときには駆動電源ＰＳの供給が再開されると同時にその補充残量分の処理液が補充される。補充残量が存在しないときには、次の処理液の補充指令を待つことになる。処理液の補充量は、本実施形態では、ポンプの回転数やポンプの駆動時間等で間接的に管理されるが、フロートメータ等で流量を計測して直接的に管理することもできる。
【００３２】
なお、水を補充して処理液の濃度を調節する補充手段５７，５８，５９は、本実施形態では、写真感光材料の自動現像処理装置１０の起動開始時等にも一定量の水を処理サブタンク３１´，３２´，３６´内に補充するようになっている。従って、そのときに廃液タンク６１内の液レベルが規定値に達していて電源ラインＰＬが遮断されている場合には、各ポンプ５７２，５８２，５９２は作動しないので、処理タンク３１，３２，３３から廃液タンク６１内に廃液が排出されることはない。この結果、廃液タンク６１内の廃液が溢れ出る虞がなくなる。
【００３３】
上記のように、本発明に係る写真感光材料の自動現像処理装置１０は、廃液タンク６１内の液レベルが規定値に達したとき、補充手段５５，５６，５７，５８，５９に駆動電源ＰＳを供給するための電源ラインＰＬを遮断する遮断手段７４を備えているので、廃液タンク６１内から廃液が溢れ出るのを確実に防止することができる。また、電源ラインＰＬを遮断して駆動電源ＰＳの供給を停止することにより補充手段５４，５５，５６，５７，５８，５９が駆動できないようにしているので、制御系のＣＰＵでソフト的に処理する場合のように、外部ノイズや瞬時停電等の影響で制御系が暴走して補充手段５４，５５，５６，５７，５８，５９が正常に作動しないようなこともなくなる結果、信頼性に優れたものとなる。
【００３４】
さらに、補充手段５４，５５，５６，５７，５８，５９による液の補充途中で電源ラインＰＬが遮断されたときに液の補充残量を算出する補充残量算出手段７１１及び補充残量算出手段７１１により算出された補充残量を記憶する記憶手段を有し、電源ラインＰＬの遮断が解除されたときに記憶手段から補充残量を読み出し、その補充残量を処理タンク３１,３２,３３,３４,３５,３６内に補充するように補充手段５４，５５，５６，５７，５８，５９を駆動する制御部７０とを備えているので、電源ラインＰＬの遮断が解除されて補充手段５４，５５，５６，５７，５８，５９が再起動したときに液の補充残量分が速やかに処理タンク３１,３２,３３,３４,３５,３６内に補充され、短時間で正常な現像処理の可能な状態にすることができる。
【００３５】
なお、本発明に係る写真感光材料の自動現像処理装置１０は、以下のような種々の変形が可能である。
【００３６】
（１）上記実施形態では、電源ラインＰＬに直列接続されたリレー接点７４１と、このリレー接点７４１を開閉制御するリレー駆動回路７４２とから構成された遮断手段７４により電源ラインＰＬを遮断するようにしているが、この遮断手段７４を図５に示すように構成してもよい。すなわち、液位センサ６７等と同様のフロースイッチ６８を直接、電源ラインＰＬに直列接続して構成してもよい。フロースイッチ６８は、磁石の取り付けられたフロートが液レベルに応じて上下動するときにスイッチ接点が開閉制御されるようになっているので、スイッチ接点を電源ラインＰＬに直列接続しておき、廃液タンク６１内の液レベルが規定値に達したときにスイッチ接点が開状態になるようにしておけばよい。
【００３７】
また、ＳＣＲ等の半導体スイッチを電源ラインＰＬに直列接続しておき、液位センサ６７の検知信号に応じて半導体スイッチを作動させて電源ラインＰＬを遮断するようにすることも可能である。
【００３８】
要するに、廃液タンク内の液レベルを検知する検知手段と、電源ラインに直列接続され、液レベルが規定値に達したときに検知手段から出力される検知信号により閉状態から開状態に切り替えられるスイッチング手段とから遮断手段を構成したり、電源ラインに直列接続され、廃液タンク内の液レベルが規定値に達したときに自身で閉状態から開状態に切り替わるスイッチング手段から遮断手段を構成したりすればよい。
【００３９】
また、検知手段及びスイッチング手段としては、上記のような磁気により接点が開閉されるものや半導体からなるものの他、機械的に接点を開閉するもの、サーミスタ等のような抵抗変化を利用したもの、コンデンサ等のような容量変化を利用したもの、液と真空中での光の屈折率の違いを利用した光学的なもの等、種々のものを利用することができる。
【００４０】
（２）上記実施形態では、写真感光材料Ｐの処理量に応じて処理液を補充するようにし、処理液の濃度が濃くなったときに水を補充するようにしているが、装置の稼働中は常に一定量の処理液や微量の水が補充されるようにしておくことも可能である。このようにした場合には補充手段の駆動が停止されても補充残量を逐一算出する必要はなく、補充手段の駆動が再開されたときには停止前と同じ一定量の処理液や微量の水を補充するようにすればよい。
【００４１】
（３）上記実施形態では、補充残量算出手段７１１により算出された処理液や水の補充残量を自動的にＲＡＭ７３に記憶させるようにしているが、算出された補充残量をオペレータがキーボード等の入力手段により手動で入力して記憶させるようにすることも可能である。また、補充残量をオペレータがキーボード等の入力手段により手動で入力する場合、補充残量をポンプの回転数等に基づきオペレータが算出するようにしてもよい。補充残量をオペレータが算出する場合は、ポンプの回転数等の補充残量の算出基準になる数値を表示器等に表示させるようにすればよい。従って、本発明では、補充残量の算出基準になる数値を表示する手段も補充残量算出手段とする。
【００４２】
（４）上記実施形態では、処理液の補充手段５４，５５，５６に駆動電源を供給する電源ライン、及び水の補充手段５７，５８，５９に駆動電源を供給する電源ラインを遮断するようにしているが、処理液の補充手段５４，５５，５６に駆動電源を供給する電源ラインのみを遮断するようにしてもよい。また、水の補充手段５７，５８，５９は、ポンプ５７２，５８２，５９２により水タンク５７１，５８１，５９１内の水を補充するようにしているが、水道のように水圧の加えられている水源から直接、補充するようにすることもでき、この場合にはポンプ５７２，５８２，５９２に代えて電磁弁を使用すればよい。
【００４３】
（５）上記実施形態では、廃液タンク内の液レベルに関連する情報を報知する報知する報知手段としてモニタ８１を採用しているが、ランプやブザー等の他の報知手段を採用することも可能である。
【００４４】
（６）上記実施形態では、オペレータが始動スイッチをＯＮする等して排液ポンプ６５を手動で駆動させることにより廃液タンク６１内の廃液を外部に排出するようにしているが、液位センサ６７からの検知信号に基づき制御部７０により排液ポンプ６５を制御して自動的に排液処理を行わせるようにすることもできる。この場合には、モニタ８１等の報知手段は必ずしも必要としない。
【００４５】
（７）上記実施形態では、処理タンク３１，３２，３３の各廃液が同じ廃液タンク６１内に排出されるようになっているが、処理タンク３１，３２，３３毎に個別の廃液タンクを使用するようにしたり、例えば、処理タンク３１，３２に共通の廃液タンクを使用し、処理タンク３３に別の廃液タンクを使用したりすることも可能である。複数の廃液タンクを使用する場合は、各廃液タンク毎に液位センサを設けておけばよい。また、複数の廃液タンクを使用する場合は、いずれかの廃液タンク内の液レベルが規定値に達したときにすべての補充手段の駆動を停止するようにしてもよいし、液レベルが規定値に達した廃液タンクに対応する補充手段のみについて駆動を停止するようにしてもよい。
【００４６】
（８）上記実施形態では、写真感光材料の現像処理装置は、写真感光材料である印画紙の現像処理について適用したものであるが、写真感光材料であるフィルムの現像処理について適用することも可能である。また、印画紙の現像処理とフィルムの現像処理の両方の機能を備えたものに適用することも可能である。
【００４７】
【発明の効果】
以上説明したように、請求項１に係る発明によれば、廃液タンク内の液レベルが規定値に達したとき、補充手段に駆動電源を供給するための電源ラインを遮断する遮断手段を備えているので、処理タンク内から排出された廃液が廃液タンク内から溢れ出るのを確実に防止することができる。また、制御手段が、補充手段による液の補充途中で電源ラインが遮断されたときに液の補充残量を算出する補充残量算出手段と、算出された補充残量を記憶する記憶手段とを備え、電源ラインの遮断が解除されたときに記憶手段から補充残量を読み出し、その補充残量を処理タンク内に補充するように補充手段を駆動するようにしているので、電源ラインの遮断が解除されて補充手段が再起動したときに液の補充残量分が速やかに処理タンク内に補充され、短時間で正常な現像処理の可能な状態にすることができる。
【００４８】
また、請求項２に係る発明によれば、遮断手段が、廃液タンク内の液レベルを検知する検知手段と、電源ラインに直列接続され、液レベルが規定値に達したときに検知手段から出力される検知信号により閉状態から開状態に切り替えられるスイッチング手段とからなるものであるので、電源回路に大きな電流が流れるような場合でも電源を確実に遮断することができる。
【００４９】
また、請求項３に係る発明によれば、遮断手段が、電源ラインに直列接続され、廃液タンク内の液レベルが規定値に達したときに自身で閉状態から開状態に切り替わるスイッチング手段からなるものであるので、遮断手段の構成を簡素化することができる。
【００５０】
また、請求項４に係る発明によれば、廃液タンク内の液レベルが規定値に達したときに液レベルに関連する情報を報知する報知手段を備えているので、廃液タンク内の廃液が規定値に達したとき、速やかに廃液の排出作業を行うことができる。
【図面の簡単な説明】
【図１】本発明の実施形態に係る写真感光材料の自動現像処理装置の概略構成を示す図である。
【図２】図１に示す写真感光材料の自動現像処理装置における現像処理部の要部平面図である。
【図３】図２に示す現像処理部のＡ−Ａ線における断面図である。
【図４】図１に示す写真感光材料の自動現像処理装置における現像処理部の制御系の概略構成を示す図である。
【図５】図４に示す制御系の別の構成例を要部のみ示す図である。
【符号の説明】
１０  写真感光材料の自動現像処理装置
２０  露光部
３０  現像処理部
３１  現像処理タンク
３２  漂白定着処理タンク
３３  第１の安定処理タンク
３４  第２の安定処理タンク
３５  第３の安定処理タンク
３６  第４の安定処理タンク
３１´  現像処理サブタンク
３２´  漂白定着処理サブタンク
３３´  第１の安定処理サブタンク
３４´  第２の安定処理サブタンク
３５´  第３の安定処理サブタンク
３６´  第４の安定処理サブタンク
５４，５５，５６  処理液の補充手段
５７，５８，５９  水の補充手段
６１  廃液タンク
６７  液位センサ（検知手段，スイッチング手段）
６８  フロートスイッチ（スイッチング手段）
７０  制御部（制御手段）
７３  ＲＡＭ（記憶手段）
７４  遮断手段
８１  モニタ（報知手段）
７１１  補充残量算出手段
７１２  補充残量確認手段
７４１  リレー接点（スイッチング手段）
７４２  リレー駆動回路
Ｐ  写真感光材料
ＰＬ  電源ライン
ＰＳ  電源
【図１】
0003543132.tif 000002
【図２】
0003543132.tif 000003
【図３】
0003543132.tif 000004
【図４】
0003543132.tif 000005
【図５】
0003543132.tif 000006